(57)【要約】【課題】省力防水型のマンホールカバーを提供する。【解決手段】このカバーは、環状のベース１と、ベース１上を被覆し密封するカバー本体２と、ベース１とカバー本体２との間に結合されて、カバー本体２を傾動可能に支持するサポート部品５と、ベース１とカバー本体２との間に介在され、カバー本体２をベース１を被覆密封する位置からベース１の縁部上に立ち上げる位置まで押圧するテレスコピック式シリンダ３と、ベース１とカバー本体２との間にサポート部品５とは反対側に設けられ、ベース１とカバー本体２とをロックする安全装置４とを備える。【選択図】図１
0003157875.tif 000002
【実用新案登録請求の範囲】
【請求項１】
環状のベース(１)と、
前記ベース(１)上を被覆し密封するカバー本体(２)と、
前記ベース(１)と前記カバー本体(２)との間に配設され、一端が前記ベース(１)の内周所定の位置に枢支部材を介して結合され、他端が前記カバー本体(２)の底面所定の位置に結合されて、前記カバー本体（２）を前記ベース（１）を被覆密封する位置と前記カバー本体（２）を前記ベース（１）の縁部上に立ち上げる位置との間で傾動可能に支持するサポート部品(５)と、
前記ベース(１)と前記カバー本体(２)との間に介在され、一端が前記ベース(１)の内周所定の位置に枢支部材を介して結合され、他端が前記カバー本体(２)の底面所定の位置に枢支部材を介して結合されて、前記カバー本体（２）を前記ベース（１）を被覆密封する位置から前記ベース（１）の縁部上に立ち上げる位置まで押圧するテレスコピック式シリンダ(３)と、
前記ベース(１)と前記カバー本体(２)との間に前記サポート部品（５）とは反対側に設けられ、前記ベース(１)と前記カバー本体(２)とを連結しロックする安全装置(４)と、
を備え、
前記安全装置(４)のロック解除により、前記カバー本体（２）を前記サポート部品（５）の支持案内と前記テレスコピック式シリンダ(３)の押圧力により前記カバー本体（２）を開く方向に傾動し、前記ベース（１）の縁部上に立ち上げる、
ことを特徴とするマンホールカバー。
【請求項２】
ベース(１)の頂面に環状の凹溝（１４）が形成され、カバー本体(２)は前記ベース(１)の頂面を覆う十分な面積を有して、前記環状の凹溝(１４)が前記カバー本体(２)により被覆される請求項１に記載のマンホールカバー。
【請求項３】
環状の凹溝(１４)の中に防水ガスケット(１５)が嵌め込まれる請求項２に記載のマンホールカバー。
【請求項４】
サポート部品（５）は２本一対の部材からなり、これら各部材の一端はベース（１）の内周面に形成された凹部(１２)に挿入されてその両側の内面に枢支部材を介して結合され、テレスコピック式シリンダ(３)は前記サポート部品（５）の各部材間に配置され、その一端が前記凹部(１２)の下部に下方に向けて突出された凸ブロック（１１）に枢支部材を介して結合される請求項１乃至３のいずれかに記載のマンホールカバー。
【請求項５】
サポート部品(５)の各部材はカバー本体(２)の底面に結合される水平方向に延びる固定部分(５１)と、前記固定部分(５１)に連続して略Ｕ字形に曲成される曲がる部分(５２)と、前記曲がる部分 (５２)の終端に形成され、ベース(１)の内周所定の位置に結合されるヒンジ部分(５３)とを有し、これら３つの部分が一体成形により形成される請求項４に記載のマンホールカバー。
【請求項６】
テレスコピック式シリンダ(３)をベース（１）及びカバー本体（２）に結合するための枢支部材はそれぞれ、一対のヒンジ部材及びヒンジピンからなる第１、第２の組み合わせ部品(３１)、 (３２)で、第１の組み合わせ部品（３１）はベース（１）の下部に突出された凸ブロック（１１）の前面に固定され、第２の組み合わせ部品(３２)はカバー本体（２）の底面に固定される請求項５に記載のマンホールカバー。
【請求項７】
略Ｌ形の調整ブロック(３３)が当該調整ブロック(３３)の垂直板をベース（１）の凸ブロック（１１）の前面に配置され、当該調整ブロック(３３)の水平板を前記凸ブロック（１１）の底面に固定されて、前記凸ブロック（１１）に配設され、第１の組み合わせ部品(３１)は当該調整ブロック(３３)の垂直板に固定される請求項６に記載のマンホールカバー。
【請求項８】
カバー本体(２)の底面に補強構造(２４)を有し、前記補強構造(２４)はラジアル方向に輻射状に形成された補強梁(２４１)と、前記カバー本体(２)の中心と同芯上に形成された複数の環状肋材(２４２)と、前記カバー本体(２)の中心に近接して形成された向心環状肋材(２４３)とにより構成され、第２の組み合わせ部品(３２)は前記カバー本体(２)の向心環状肋材(２４３)の範囲内に設置固定される請求項６又は７に記載のマンホールカバー。
【請求項９】
サポート部品(５)の固定部分（５１）とカバー本体(２)の底面との間に間隔を調整するための第１のピローブロック(５４)が設けられ、テレスコピック式シリンダ(３)を結合するための第２の組み合わせ部品（３２）とカバー本体(２) の底面との間に間隔を調整するための第２のピローブロック（３４）が設けられる請求項６に記載のマンホールカバー。
【請求項１０】
安全装置(４)は、ベース(１)の内周でサポート部品（５）に対向する所定の位置に前記サポート部品（５）に向けて突出され、ネジ穴(４２)を有するブロック(４３)と、このブロック(４３)に対応してカバー本体(２)の縁部に設れられる穴(２１)と、前記穴（２１）に挿入され前記ネジ穴(４２)に螺合可能なネジ式の固定部品(４１)と、前記固定部品(４１)の周りに配置され、前記穴(２１)に液体の浸透を防ぐための防水ゴムリング(４４)とにより構成される請求項１乃至９のいずれかに記載のマンホールカバー。
【考案の詳細な説明】
【技術分野】
【０００１】
本考案は、マンホールカバーに関し、特に省力防水型のマンホールカバーの構造に関する。
【背景技術】
【０００２】
一般に、環境の美化を図りつつ公共空間を最大限に活用するため、多くの管線パイプライン、貯蔵タンク、水路（例、排水路、下水道）などの施設が路面の下に設置されている。そしてそこに相連なる通路があり、工事関係の作業員が入って施設の点検や補修を行うために、路面に開口部が設けられる。この開口部には、通行人や車両が落下するのを防止し、またごみ等の雜物が通路に入り込んで通路を塞ぐのを防ぐために、マンホールカバーが埋設される。
【０００３】
図５に従来のマンホールカバーの構造を示している。図５に示すように、マンホールカバーは、路面の表面に埋設されるベース（７２）と、このベース（７２）の上に設置されるカバープレート（７１）とを備え、人や車がマンホールに落下するような事故の発生を防ぐように構成されている。この種のマンホールカバーは例えば特許文献１などに記載されている。このようなマンホールカバーのカバープレート（７１）はすべて非常に重い鋼鉄の材料から作られているため、車の重さに十分に耐えることができる。また、ひき臼がおさえた後で捲ることを避けられる。しかし、工事関係の作業員が下水道に入って排水路の清掃を行うような場合、カバープレート（７１）を取り外すことになるが、カバープレート（７１）は重く移動しにくいため、この場合、ハンドツールをカバープレートのフック穴（７３）の中に挿入することで、カバープレートを移動することが可能であるものの、作業員にとって作業は容易ではない。
【先行技術文献】
【特許文献】
【０００４】
【特許文献１】実開平１−７５１６０号公報
【考案の概要】
【考案が解決しようとする課題】
【０００５】
（１）従来のマンホールカバーでは、カバーが車両の重さに十分に耐えられるように、その製造にあたり、大部分がキャストあるいはステンレスなどの鉄鋼材料が採用されている。このため、マンホールカバーのカバープレートはあまりに重過ぎて、工事関係の作業員がカバープレートを引き起こす時に非常に大きな力が必要になっている。そこで、どのようにしたら、作業員の力を省いてカバープレートを引き起こすことができるかが、本考案の解決しようとする第１の課題である。
（２）従来のマンホールカバーでは、カバープレート（７１）とベース（７２）との間にかなり大きなギャップ（７４）が取られていることがある。このため、ギャップにほこり、砂利、石、ごみ等の雜物（７５）が入り込んで、このギャップを塞ぎ、このままカバープレート（７１）が長期にわたって移動されることなく被せられていると、マンホールカバーが塞がれてしまったり錆び付いてしまったりして、簡単に開くことができなくなる。この場合、工事関係の作業員は金槌でカバープレートが緩くなるまで叩くことで、ハンドツールによりようやくカバープレートを引き起こすことができる。このようにカバープレートを開けるのに多くの時間がかかり、また、労働集約的な操作のみの作業のために、作業者の負担は増大するばかりである。そこで、どのようにしたら、マンホールカバーのカバープレートが塞がれたり錆び付いたりすることから回避できるかが、本考案の解決しようとする第２の課題である。
（３）従来のマンホールカバーでは、マンホールカバーの周辺に水の浸透を防止する構造がなく、このため雨水がギャップから浸み込みやすい。そこで、どのようにしたら、マンホールカバーのカバープレートで雨水の浸透を防止することができるかが、本考案の解決しようとする第３の課題である。
【０００６】
本考案は、このような従来の課題を解決するものであり、カバー本体をベース上に確実に閉じることができ、しかもカバー本体を引き起こすときは、カバー本体を力を省いて容易かつ確実に引き起こすことができ、また、カバープレートの周囲から雨水の浸透を確実に防止することのできる省力防水型のマンホールカバーを提供すること、を目的とする。
【課題を解決するための手段】
【０００７】
上記目的を達成するために、本考案は、一種の省力防水のマンホールカバーで、1環状のベース(１)、1ベース(１)上にかぶ覆われて、しかもベースを密封したのカバー本体(２)から構成されたのである。その特？は、ベース(１)とカバー本体(２)の間にテレスコピック式シリンダ(３)を結び付けて、当該テレスコピック式シリンダ(３)の1面は第1端であてベース(１)のバックエンドの枢ハブセットと結び付けるのをして、別の1端は第２端になって、カバー本体(２)の底の面の枢ハブセットと結び付けられてある、ベース(１)とカバー本体(２)の前端にベース（１）とカバー本体(２)をロック連結したの安全装置(４)を1設けられてある。ベース(１)とカバー本体(２)の後端にでサポート部品(５)を結び付けられて、当該サポート部品(５)の１面は第１端であてカバー本体(２)の底の面と固定して結び付けられてある、別の１端は第２端になって、ベース(１)の後端にあらかじめ設けたのスロット(１２)軸壁の枢ハブセットと結び付けられている。前記のテレスコピック式シリンダ(３)はあらかじめ圧力を蓄えることができて、しかも安全装置(４)が位置付けの関係を解除した後で、カバー本体(２)を自ら自動的にカバー本体(２)を支え開けることができる。
【０００８】
本考案はまた、各部が次のように具体化される。
（ａ）上記のマンホールカバーにおいて、上述のベース(１)の頂面はへこんでいる環状のへこむ溝（１４）があって、述べているのカバー本体(２)の面積を十分に前記の環状のへこむ溝(１４)をしっかりかぶせられている。
（ｂ）特に上記（ａ）において、上述の環状のへこむ溝(１４)中に浸透効果を持つているの防水ガスケット(１５)を嵌め込まれてある。
（ｃ）上記のマンホールカバーにおいて、上述のスロット(１２)のノッチの場所はベース(１)のバックエンドの内壁があて、スロット(１２)の下方に下向けの際立つ突き出ているバンプ(１１)を持ちられている。上述のサポート部品(５)は左右２本を設けられて、その第２の端はスロット(１２)の内に挿入してそして左右溝の壁ハブセットと結び付けるのをして、またテレスコピック式シリンダ(３)が２本のサポート部品(５)間に位で、その第２の端は枢が突き出ている凸ブロック(１１)前壁の面にハブセットと設置されてある。
（ｄ）特に上記（ｃ）において、上述のサポート部品(５)は1のカバー本体(２)の底の面の結合のレベルの固定部分(５１)、1面と固定部分(５１)接続でしかもＵ字形を呈しているのくねくねしている曲がる部分(５２)、および1面とくねくねした曲がる部分 (５２)の別面に接続してから更にスロット(１２)軸壁と枢ハブセットしたの共同ヒンジ部分(５３)から、３つ一体成型の方式で構成されたのである。
（ｅ）特に上記（ｄ）において、上述のテレスコピック式シリンダ(３)の両端を別れて双耳形のと双形の1番目の組み合わせ部品(３１)および２番目の組み合わせ部品(３２)とハブセットと結び付けるのをして、そして前記の1番目の組み合わせ部品(３１)は突き出たブロック(１１)の前に壁の面に固定しているのである。２番目の組み合わせ部品(３２)はカバー本体（２）の底の面を固定している。
（ｆ）特に上記（ｅ）において、上述の1番目の組み合わせ部品(３１)と突き出たブロック(１１)の間を1つのL形調整ブロック(３３)を設けられて、当該調整ブロック(３３)が平らな板と突き出たブロック(１１)の底の面で結び付けてで固定されている、そして垂直な板を1番目の組み合わせ部品(３１)と結び付けて固定するのを供えされている。
（ｇ）特に上記（ｅ）、（ｆ）において、上述のカバー本体(２)の底の面に補強構造の補強構作り(２４)を設置されて、当該補強構造(２４)をラジアル輻射状の補強梁(２４１)、数周同心で設置したの環状肋材(２４２)、および1の中心に向って設置したの向心環状肋材(２４３)を含んで、前記の向心環状肋材(２４３)とカバー本体(２)の中心と1段の間隔を隔てって、２番目の組み合わせ部品(３２)はカバー本体(２)の向心環状肋材(２４３)の範囲内にハブセットとの設置をされている。
（ｈ）特に上記（ｅ）において、上述のサポート部品(５)とカバー本体(２)の底面の間は整えて厚さの1番目ピローブロック(５４)を設けて、しかも上述の２番目の組み合わせ部品（３２）とカバー本体（２）の底面の間を1の整えて厚さの２番目ピローブロック（３４）を設けてある。
（ｉ）上記のマンホールカバーにおいて、上述の安全装置(４)は、1のベース(１)のフロントエンド内壁で際立つ突き出ている。しかもネジ穴(４２)が持つの凸出嵌め込みブロック(４３)、1はカバー本体(２)のフロントエンドで設置してしかも上述のネジ穴(４２)と対応しているの位置付けの穴(２１)、1は位置付けの穴(２１)内に挿入されるそしてネジ穴(４２)とマキガイに固定しているの固定部品(４１)、および固定部品(４１)周りにセット固定して、位置決め穴(２１)内に液体の浸透を防ぐため、の防水ゴムリング(４４)を含んだのをから構成される。
【考案の効果】
【０００９】
本考案のマンホールカバーは、上記の構成により、次のような効果を奏する。
［１］本考案の省力防水のマンホールカバー、そのカバー本体(２)がベース（１）の上で覆った後にベース（１）の穴口を密封することができて、安全装置（４）によってからカバー本体(２)とベース（１）をロックして結び付けることができて、テレスコピック式シリンダ（３）にカバー本体（２）を押して上へ上がることができない、安全な効果を達成する。これに反して、工事する人員が安全装置（４）の位置を測定する関係を解除した後に、あらかじめ圧力を蓄えてのテレスコピック式シリンダ（３）を自ら自動的にカバー本体(２)を押さえて向上に上がることができて、工事する人員がカバー本体(２)を移して運ぶ必要はなくて、力を省いて省くこと負担の需要がないのを達成することができる。またカバー本体(２)はサポート部品（５）をベース（１）の上で連結するので、カバー本体(２)を挙げて上がるす時、サポート部品（５）を回転する軸を支えて上へ回転することができて、それ以降の１斜角でしっかりとしたベース（１）の上で立つことができて、しかもテレスコピック式シリンダ（３）が展開した後で、カバー本体（２）を自動的に下がされないることで、反ドロップ落下機能に防ぎのを達成される。
［２］前記ベース（１）の頂面が環状のへこむ溝 （１４）があった後に、カバー本体（２）とベース（１）をかぶせて密封した後で、真空を生んでジョイントする現象のことを避けられることができて、カバー本体（２）を上に捲る時困難を生んでのことを防止する、また環状のへこむ溝（１４）は液体がしみ込む時一時的な水を防ぐ用途とすることができる。それに、カバー本体（２）の面積は環状のへこむ溝（１４）より大きくて、だからベース（１）の上に雑用物あるいはほこりに埋め込むように供えるいかなる溝の槽あるいは隙間がなくて、故にマンホールカバーの表面の上でずっとすべて清潔なことを維持することができる。
［３］もし環状のへこむ溝（１４）の内が防水ガスケット（１５）を持つた後で、液体をベース（１）の内に流れ込むことができなくて、確かにマンホールカバーに水の浸透の効果を達成している。
［４］前記のサポート部品（５）は左右２本の設定で、テレスコピック式シリンダ（３）は２本のサポート部品（５）間に位してで、テレスコピック式シリンダ（３）はサポート部品（５）の第１端をカバー本体(２)との結合をしで、別の第２端はとベース（１）と結び付けて、このようにカバー本体（２）とベース（１）を安定させられて結び付けることができる。またカバー本体(２)をベース（１）の上で覆いる時、ベース（１）のスロット（１２）はサポート部品（５）が内を導入して、隠された効果を達成するために、したがって、問題があるためサポート部品を現れる問題の発生はできない。そしてスロット（１２）の下の突き出た塊（１１）はテレスコピック式シリンダ（３）の施力としてを支えることができて、そしてテレスコピック式シリンダ（３）とサポート部品（５）を同時にずっとオンラインに位置させられる。
［５］サポート部品（５）レベルの固定部分（５１）からカバー本体（２）の底の面をスムーズに結び付けることによってことができて、Ｕ字形カーブのくねくねした曲がる部分（５２）はカバー本体（２）を立ちだした後にベース（１）のいちばん縁との抵触を避けられることと、また直線の共同ヒンジ部分（５３）をスロット(１２)の軸壁と枢ハブセットを用いられる。
［６］テレスコピック式シリンダ（３）はカバー本体（２）を押し上げることに用いるの上げ腕で、その両端はそれぞれと双耳形の1番目の組み合わせ部品（３１）およびその２番目の組み合わせ部品（３２）枢ハブセット結び付けること、そのために、テレスコピック式シリンダ（３）は活動の伸び広がり縮むの空間があることができて、それにカバー本体（２）の角度変化の同時にも柔軟に伸び縮みの長さを変えることができる。
［７］上述の1番目の組み合わせ部品（３１）戸突き出たブロック（１１）の間はＬ形の調整ブロック（１４）を設けて、当該調整ブロック（１４）がテレスコピック式シリンダ（３）の他の側面を突き出たブロック（１１）の間の距離を加減して調整することができて、テレスコピック式シリンダ（３）のもう一方の側に伸び広がる時にサポート部品（５）と抵触を生むことを避けられることができる。
［８］補強構造（２４）の設置をカバー本体（２）の構造をいっそう堅固なことを使用することができて、そしていっそうカバー本体（２）の外部からの圧力に耐えるのを分散させられる、また、向心環状肋材(２４３)とカバー本体(２)の中心と1段の間隔（Ｌ）を隔てって、テレスコピック式シリンダ（３）の1面が前記の向心環状肋材(２４３)の内にハブセットしてある、そのためテレスコピック式シリンダ（３）の長さはカバー本体（２）の半径より小さくて、ただテレスコピック式シリンダ（３）が1の短い距離に推して上がる時と、十分にカバー本体（２）の大きい角度のを仰向け上がられる、そのため小さなテレスコピック式シリンダ（３）は空間を占めないだけではなくて、更にきわめて推して上がる効果に良いことを達成してことができる。
［９］サポート部品（５）とカバー本体（２）の底面の間を厚さの整えるの1番目ピローブロック（５４）を設けて、２番目の組み合わせ部品 （３２）とカバー本体（２）の底の面の間を厚さの整えるの２番目ピローブロック（３４）を設けて、前記1番目ピローブロック（５４）と２番目ピローブロック（３４）より、サポート部品（５）の１面、およびテレスコピック式シリンダ（３）とカバー本体（２）の底の面の補強構造（２４）を抵触をもたらすことを避けられることができる。
［１０］安全装置（４）の固定部品（４１）はカバー本体（２）の位置付め穴（２１）の内を挿入することができるそして嵌め込みブロックのネジ穴（４２）のネジはめ込まれて、カバー本体（２）とベース（１）強固な結合効果を生む、そして固定部品（４１）の上部周縁は防水ゴムリング（４４）があったため、液体が位置付けの穴（２１）の内に滲み込まれるのを防止することができる。
【図面の簡単な説明】
【００１０】
【図１】本考案の一実施の形態におけるマンホールカバーの斜視図
【図２】同マンホールカバーの分解斜視図
【図３】同マンホールカバーを閉めたときの断面図
【図４】同マンホールカバーを開けたときの断面図
【図５】従来のマンホールカバーの断面図
【考案を実施するための形態】
【００１１】
次に、この考案を実施するための形態について図を用いて説明する。図１は本考案のマンホールカバーの斜視図であり、図２は同マンホールカバーの分解斜視図である。図３は同マンホールカバーを閉めたときの断面図であり、図４は同マンホールカバーを開けたときの断面図である。
【００１２】
図１及び図２に示すように、マンホールカバーは、環状のベース(１)と、ベース(１)上を被覆し密封するカバー本体(２)と、ベース(１)とカバー本体(２)との間に配設され、一端がベース(１)の内周所定の位置に枢ハブセット（枢支部材）を介して結合され、他端がカバー本体(２)の底面所定の位置に枢ハブセット（枢支部材）を介して結合されて、カバー本体（２）をベース（１）を被覆密封する位置とカバー本体（２）をベース（１）の縁部上に立ち上げる位置との間で傾動可能に支持するサポート部品(５)と、ベース(１)とカバー本体(２)との間に介在され、一端がベース(１)の内周所定の位置に枢支部材を介して結合され、他端がカバー本体(２)の底面所定の位置に枢支部材を介して結合されて、カバー本体（２）をベース（１）を被覆密封する位置からベース（１）の縁部上に立ち上げる位置まで押圧するテレスコピック式シリンダ(３)と、ベース(１)とカバー本体(２)との間に前記サポート部品（５）とは反対側に設けられ、ベース(１)とカバー本体(２)とを連結しロックする安全装置(４)とを備える。
【００１３】
ベース(１)は、図３に示すように、頂面に環状の凹溝（１４）が形成され、この凹溝(１４)の中に防水ガスケット(１５)を嵌め込まれる。
【００１４】
カバー本体(２)は、図３に示すように、ベース(１)の頂面を覆う十分な面積を有し、ベース(１)の環状の凹溝(１４)はカバー本体(２)により被覆されるようになっている。また、カバー本体(２)の底面には、図１に示すように、補強構造(２４)を有している。この補強構造(２４)はラジアル方向に輻射状に形成された補強梁(２４１)と、カバー本体(２)の中心と同芯上に形成された複数の環状肋材(２４２)と、カバー本体(２)の中心に近接して形成された向心環状肋材(２４３)とにより構成される。
【００１５】
サポート部品（５）は、図２に示すように、２本一対の部材からなり、それぞれ、カバー本体(２)の底面に結合される水平方向に延びる固定部分(５１)と、固定部分(５１)に連続して略Ｕ字形に曲成される曲がる部分(５２)と、曲がる部分 (５２)の終端に形成され、ベース(１)の内周所定の位置に結合されるヒンジ部分(５３)とを有し、これら３つの部分が一体成形により形成される。これら各部材の一端のヒンジ部分(５３)はベース（１）の内周面の後端に形成されたスロット(１２) (凹部（１２）)に挿入されてその両側の内壁面に枢支部材を介して結合され、固定部分（５１）はカバー本体(２)の底面との間に間隔を調整するための第１のピローブロック(５４)を介して結合される。
【００１６】
テレスコピック式シリンダ(３)はサポート部品（５）の各部材間に配置され、その一端がスロット(１２) (凹部（１２）)の下部に下方に向けて突出された凸ブロック（１１）の前面側に枢支部材を介して結合され、他端がカバー本体（２）の底面に枢支部材を介して結合される。このテレスコピック式シリンダ(３)をベース（１）及びカバー本体（２）に結合するための枢支部材はそれぞれ、一対のヒンジ部材及びヒンジピンからなる第１、第２の組み合わせ部品(３１)、 (３２)が採用される。第１の組み合わせ部品（３１）はベース（１）の下部に突出された凸ブロック（１１）の前面側に固定される。この場合、略Ｌ形の調整ブロック(３３)が当該調整ブロック(３３)の垂直板を凸ブロック（１１）の前面に配置され、当該調整ブロック(３３)の水平板を凸ブロック（１１）の底面に固定されて、凸ブロック（１１）に配設され、第１の組み合わせ部品(３１)は当該調整ブロック(３３)の垂直板に固定される。第２の組み合わせ部品(３２)はカバー本体（２）の底面に固定される。この場合、第２の組み合わせ部品(３２)は、図３に示すように、カバー本体(２)の向心環状肋材(２４３)の範囲内に、第２の組み合わせ部品（３２）とカバー本体(２) の底面との間に間隔を調整するための第２のピローブロック（３４）が介在されて、設置固定される。
【００１７】
安全装置(４)は、図２に示すように、ベース(１)の内周の前端（サポート部品（５）に対向する所定の位置）にサポート部品（５）に向けて突出され、上下方向にネジ穴(４２)を有するブロック(４３)と、このブロック(４３)に対応してカバー本体(２)の前端縁部に設れられる位置付け穴(２１)と、位置付け穴（２１）に挿入されネジ穴(４２)に螺合可能なネジ式の固定部品(４１)と、固定部品(４１)の周りに配置固定され、位置付け穴（２１）に液体の浸透を防ぐための防水ゴムリング(４４)とにより構成される。
【００１８】
このようにしてこのマンホールカバーは、図４に示すように、安全装置(４)のロック解除により、カバー本体（２）をサポート部品（５）の支持案内とテレスコピック式シリンダ(３)の押圧力によりカバー本体（２）を開く方向に自動的に傾動し、ベース（１）の縁部上に立ち上げるようになっている。
【００１９】
以上説明したように、このマンホールカバーでは、カバー本体(２)でベース（１）の上を覆うことによりベース（１）の穴（開口）を密封することができ、また、このカバー本体（２）とベース（１）を安全装置（４）によって連結しロックすることにより、テレスコピック式シリンダ（３）を圧縮してこの状態を保持し、テレスコピック式シリンダ（３）でカバー本体（２）を上方へ押し上げることができないようにしたので、このカバー本体（２）による密封状態を安全に保持することができる。また、この状態から、工事関係の作業員が安全装置（４）を解除することにより、圧縮状態のテレスコピック式シリンダ（３）が伸長してその蓄積された圧力によりカバー本体(２)を自動的に上方に向けて押圧し押し上げることができ、工事関係の作業員がカバー本体(２)を移動して運ぶ必要がなく、作業員の力を省いて、作業員の負担をなくすことができる。また、この場合、カバー本体(２)とベース（１）とを連結するサポート部品（５）をテレスコピック式シリンダ（３）によるカバー本体（２）の押し上げとともに回動し、テレスコピック式シリンダ（３）の伸長とともにカバー本体（１）を所定の傾斜角でベース（１）の縁部上に立ち上げて、これをサポート部品（５）により支持するので、カバー本体（２）は自動的に下がることがなく、この立ち上がり状態を確実に維持することができる。
【００２０】
また、このマンホールカバーの場合、ベース(１)の頂面に環状の凹溝（１４）が形成され、カバー本体(２)はベース(１)の頂面を覆う十分な面積を有して、環状の凹溝(１４)がカバー本体(２)により被覆されるので、ベース(１)とカバー本体(２)との間に真空が生じて吸着する現象を避けることができ、カバー本体（２）を円滑に引き起こすことができる。また、環状の凹溝（１４）はベース(１)とカバー本体(２)との間に液体が浸み込んだ際に一時的に水を遮断して水の浸入を防ぐことができる。さらに、カバー本体（２）の面積は環状の凹溝（１４）を覆うことができるように大きいため、ベース（１）の上に雑用物や埃が埋め込まれるような溝や隙間がなく、したがってマンホールカバーの表面は清潔な状態を維持することができる。また、この場合、環状の凹溝(１４)の中に防水ガスケット(１５)を嵌め込まれているので、環状の凹溝（１４）内に液体が流れ込んでも、ベース（１）内に流れ込むのを阻止することができ、マンホールカバーに水の浸透を確実に防止することができる。
【００２１】
また、このマンホールカバーの場合、カバー本体(２)の底面に補強構造(２４)を有し、この補強構造(２４)をラジアル方向に輻射状に形成された補強梁(２４１)と、カバー本体(２)の中心と同芯上に形成された複数の環状肋材(２４２)と、カバー本体(２)の中心に近接して形成された向心環状肋材(２４３)とにより構成しているので、カバー本体（２）の構造をいっそう堅固にすることができ、また、カバー本体（２）の外部からの圧力を分散して当該圧力に耐えることができる。さらに、向心環状肋材(２４３)とカバー本体(２)の中心と１段の間隔（Ｌ）を隔てて、テレスコピック式シリンダ（３）の他端の第２の組み合わせ部品(３２)が向心環状肋材(２４３)内で枢支されるので、テレスコピック式シリンダ（３）の長さをカバー本体（２）の半径より小さくし、テレスコピック式シリンダ（３）の短い距離の押し上げ動作で、カバー本体（２）を十分に大きい角度まで押し上げることができる。この小さいテレスコピック式シリンダ（３）により空間の占有は小さくなり、押し上げ効果がきわめて良い。
【００２２】
また、このマンホールカバーの場合、サポート部品（５）はカバー本体（２）とベース（１）とを結合する接続部材で、２本一対の部材からなり、これら各部材の一端をベース（１）の内周面に形成された凹部(１２)に挿入してその両側の内面に枢支部材を介して結合し、テレスコピック式シリンダ(３)をサポート部品（５）の各部材間に配置し、その一端を凹部(１２)の下部に下方に向けて突出された凸ブロック（１１）に枢支部材を介して結合するので、カバー本体（２）とベース（１）とを安定させて結合することができる。また、この場合、カバー本体(２)でベース（１）の上を覆うときに、サポート部品（５）をベース（１）のスロット（１２）内に導入するので、サポート部品（５）をベース（１）のスロット（１２）内に収納して隠すことができ、これにより、サポート部品が開口内に現れることによる問題の発生がない。そして、このスロット（１２）の下部のブロック（１１）でテレスコピック式シリンダ（３）の施力として支えることができ、テレスコピック式シリンダ（３）とサポート部品（５）を共にオンライン（同一箇所）上に配置することができる。
【００２３】
さらに、このマンホールカバーの場合、サポート部品(５)はカバー本体(２)の底面に結合される水平方向に延びる固定部分(５１)と、固定部分(５１)に連続して略Ｕ字形に曲成される曲がる部分(５２)と、曲がる部分 (５２)の終端に形成され、ベース(１)の内周所定の位置に結合されるヒンジ部分(５３)とを有し、これら３つの部分を一体成形により形成しているので、サポート部品（５）の水平方向に延びる固定部分（５１）をカバー本体（２）の底面に簡易に結合することができ、また、Ｕ字形のカーブ（くねくね）した曲がる部分（５２）により、カバー本体（２）を立ち上げたときにベース（１）の縁部との接触を避けて、直線のヒンジ部分（５３）をスロット(１２)の両側面に枢支することができる。
【００２４】
また、このマンホールカバーの場合、テレスコピック式シリンダ(３)はカバー本体（２）を押し上げることに用いるアーム（上げ腕）で、ベース（１）及びカバー本体（２）に結合するための枢支部材はそれぞれ、一対のヒンジ部材及びヒンジピンからなる第１、第２の組み合わせ部品(３１)、 (３２)で、第１の組み合わせ部品（３１）はベース（１）の下部に突出された凸ブロック（１１）の前面側に固定され、第２の組み合わせ部品(３２)はカバー本体（２）の底面に固定されるので、テレスコピック式シリンダ（３）の動きを許容して伸縮することができ、カバー本体（２）の角度変化とともに柔軟な伸縮により長さを変えることができる。この場合、略Ｌ形の調整ブロック(３３)が当該調整ブロック(３３)の垂直板をベース（１）の凸ブロック（１１）の前面に配置され、当該調整ブロック(３３)の水平板を前記凸ブロック（１１）の底面に固定されて、凸ブロック（１１）に配設され、第１の組み合わせ部品(３１)は当該調整ブロック(３３)の垂直板に固定されるので、この調整ブロック（１４）によりテレスコピック式シリンダ（３）の一端と凸ブロック（１１）との間の距離を加減調整することができ、テレスコピック式シリンダ（３）の他端が伸長するときにサポート部品（５）と抵触することを避けることができる。また、この場合、サポート部品(５)の固定部分（５１）とカバー本体(２)の底面との間に間隔を調整するための第１のピローブロック(５４)が設けられ、テレスコピック式シリンダ(３)を結合するための第２の組み合わせ部品（３２）とカバー本体(２) の底面との間に間隔を調整するための第２のピローブロック（３４）が設けられるので、これらのピローブロック（５４）、（３４）により、サポート部品（５）の一端及びテレスコピック式シリンダ（３）とカバー本体（２）の底面の補強構造（２４）との干渉（抵触）を避けることができる。
【００２５】
また、このマンホールカバーの場合、安全装置（４）の固定部品（４１）をカバー本体（２）の位置付け穴（２１）内に挿入し、この固定部品（４１）をブロック（４３）のネジ穴（４２）に締め込むので、カバー本体（２）とベース（１）とをカバー本体（２）が離脱することなく強固にロックすることができる。そして、この場合、固定部品（４１）の上部周縁に防水ゴムリング（４４）を配置するため、液体がカバー本体（２）の位置付け穴（２１）から滲み込むのを確実に防止することができる。
【００２６】
以上、図に示した事例によって、本考案の構造、特性、役割と影響について詳しく説明した。上記は単に好ましい実施形態を示しただけのものであり、実用新案登録請求の範囲を限定することに用いるのではなく、本考案の意図と一致するすべての改変はすべて、本考案の実用新案登録請求の範囲に属するものである。
【符号の説明】
【００２７】
１  ベース
１１  バンプ
１２  スロット
１３  組み込みスロット
１４  環状のへこむ溝
１５  防水ガスケット
２  カバー本体
２１  位置付め穴
２４  補強構造
２４１  補強梁
２４２  環状肋材
２４３  向心環状肋材
２４４  補強ブロック
２５  嵌め込みブロック
３  テレスコピック式シリンダ
３１  １番目の組み合わせ部品
３２  ２番目の組み合わせ部品
３３  調整ブロック
３４  ２番目ピローブロック
４  安全装置
４１  固定部品
４２  ネジ穴
４３  嵌め込みブロック
４４  防水ゴムリング
５  サポート部品
５１  固定部分
５２  曲がる部分
５３  共同ヒンジ部分・枢つなぎ部分
５４  １番目ピローブロック
７１  旧式のカバープレート
７２  旧式のベース
７３  フック穴
７４  ギャップ
７５  ほこり等の雑物
【図１】
0003157875.tif 000003
【図２】
0003157875.tif 000004
【図３】
0003157875.tif 000005
【図４】
0003157875.tif 000006
【図５】
0003157875.tif 000007